(57)【要約】【課題】加熱部に対し調理鍋がずれていた場合に適正位置に誘導し、誘導加熱による加熱効率の低下を抑えることができる電磁調理器を提供する。【解決手段】トッププレートの上面に表示された加熱部の下に設置され、加熱部上の調理鍋を誘導加熱する左及び右加熱コイル４ａ、５ａと、加熱部上の調理鍋に下方から光を照射し、赤外線が反射されたときに受光量に基づく信号を出力する複数の赤外線センサー２４ａ〜２４ｈ、２５ａ〜２５ｄと、複数の赤外線センサー２４ａ〜２４ｈ、２５ａ〜２５ｄからの信号を全て検知したかどうかを判定し、何れかの信号を検知できなかったときは、加熱部上の調理鍋を適正位置に移動させるように報知する制御回路３３とを備えた。【選択図】図２
2010262865.tif 000002
【特許請求の範囲】
【請求項１】
上面に調理鍋の加熱位置を示す加熱部が表示されたトッププレートと、
加熱部の下に設置され、加熱部上の調理鍋を誘導加熱する加熱コイルと、
加熱部のエリア内で下方に配置され、加熱部上の調理鍋の底面に向けて光を照射し、反射光が受光されたときに受光量に基づく信号を出力する複数の光センサーと、
前記複数の光センサーからの信号を全て検知したかどうかを判定し、何れかの信号を検知できなかったときは、加熱部上の調理鍋を適正位置に移動させるように報知する鍋位置判定部と
を備えたことを特徴とする電磁調理器。
【請求項２】
前記複数の光センサーは、前記エリア内に加えて前記加熱部の外周より外側の下方に配置され、
前記鍋位置判定部は、前記複数の光センサーからの信号に基づいて調理鍋の大きさを判定し、かつ判定した調理鍋の大きさに応じて前記複数の光センサーからの信号を検知したかどうかを判定し、何れかの信号を検知できなかったときは、加熱部上の調理鍋を適正位置に移動させるように報知することを特徴とする請求項１記載の電磁調理器。
【請求項３】
前記鍋位置判定部は、全ての信号を検知した際に、その中に所定レベルより低い信号が存在するかどうかを判定し、所定レベルより低い信号を検知したときは、加熱部上の調理鍋を適正位置に移動させるように報知することを特徴とする請求項１又は２記載の電磁調理器。
【請求項４】
前記鍋位置判定部は、前記複数の光センサーからの信号のうち何れかの信号を検知できなかったとき、信号を出力していない反射光未受光の光センサーの位置を予め設定された位置情報から判定し、かつその方向に加熱部上の調理鍋を移動させるように報知することを特徴とする請求項１又は２記載の電磁調理器。
【請求項５】
前記鍋位置判定部は、全ての信号を検知した際に、その中に所定レベルより低い信号が存在するかどうかを判定し、所定レベルより低い信号を検知したときは、その信号を出力した反射光受光の光センサーを反射光未受光の光センサーとしてその位置を予め設定された位置情報から判定し、かつその方向に加熱部上の調理鍋を移動させるように報知することを特徴とする請求項４記載の電磁調理器。
【請求項６】
前記鍋位置判定部は、反射光未受光の光センサーの位置を判定した際、検知できた信号の中に所定レベルより低い信号が存在するかどうかを判定し、所定レベルより低い信号を検知したときは、その信号を出力した反射光受光の光センサーを反射光未受光の光センサーとしてその位置を予め設定された位置情報から判定し、かつ先に判定した光センサーの位置とから加熱部上の調理鍋を移動させる方向を推定してその旨を報知することを特徴とする請求項４又は５記載の電磁調理器。
【請求項７】
前記トッププレートの前記加熱部の下面に接触して配置され、前記加熱部上の調理鍋の温度を検出する複数の温度センサーを備え、
前記鍋位置判定部は、反射光未受光の光センサーの位置を判定した際、前記複数の温度センサーの検出温度を読み込んで相互の検出温度に差があるかどうかを判定し、検出温度に差があるときは低い方の温度センサーの位置を予め設定された位置情報から判定し、かつ先に判定した光センサーの位置とから加熱部上の調理鍋を移動させる方向を推定してその旨を報知することを特徴とする請求項４乃至６の何れかに記載の電磁調理器。
【請求項８】
前記加熱コイルは、同一軸心を中心とする内側のリング状のコイル及びそのコイルの外周に配置された外側のリング状のコイルと、外側のコイルの外周に周方向に配置された複数の補助コイルとより構成され、
前記複数の光センサーは、前記複数の補助コイルに対応して配置され、
前記鍋位置判定部は、反射光未受光の光センサーの位置を判定した際、その光センサーの近傍の補助コイルへの通電を停止させることを特徴とする請求項１乃至７の何れかに記載の電磁調理器。
【請求項９】
前記複数の光センサーは、前記加熱コイルの下に配置され、当該加熱コイルに形成された隙間を介して光を加熱部上の調理鍋に照射することを特徴とする請求項１乃至８の何れかに記載の電磁調理器。
【請求項１０】
前記鍋位置判定部は、加熱部上の調理鍋を移動させるように報知した後に、前記複数の光センサーからの信号を全て検知したときは調理鍋が適正位置に載置されたと判定してその旨を報知することを特徴とする請求項１乃至９の何れかに記載の電磁調理器。
【請求項１１】
前記鍋位置判定部は、反射光未受光の光センサーの位置から加熱部上の調理鍋が前後の何れかにずれて載置されていると判定したとき、前記複数の光センサーからの信号を全て検知するまで調理鍋を移動させるように繰り返し報知することを特徴とする請求項１乃至１０の何れかに記載の電磁調理器。
【請求項１２】
前記鍋位置判定部は、反射光未受光の光センサーの位置から加熱部上の調理鍋が左右の何れかにずれて載置されていると判定したとき、前記の報知を調理鍋の前後のずれのときよりも報知の回数を少なくしたことを特徴とする請求項１１記載の電磁調理器。
【請求項１３】
前記鍋位置判定部は、反射光未受光の光センサーの位置から加熱部上の調理鍋が左右の何れかにずれて載置されていると判定したとき、調理鍋を移動させる報知を行わないようにしたことを特徴とする請求項１２記載の電磁調理器。
【請求項１４】
前記複数の光センサーから照射される光は赤外線であることを特徴とする請求項１乃至１３の何れかに記載の電磁調理器。
【請求項１５】
前記トッププレートには赤外線を透過させる材質が施されていることを特徴とする請求項１４記載の電磁調理器。
【請求項１６】
前記鍋位置判定部は、調理鍋が加熱部から持ち上げられることによる前記加熱コイルの電流低下を検知すると、その状態が所定時間経過するまで前記加熱コイルによる調理鍋の誘導加熱を継続させることを特徴とする請求項１乃至１５の何れかに記載の電磁調理器。
【発明の詳細な説明】
【技術分野】
【０００１】
本発明は、加熱コイルに対向するトッププレート上の加熱部に調理鍋を適正な位置に置くように誘導する電磁調理器に関するものである。
【背景技術】
【０００２】
従来の電磁調理器には、加熱コイルに対向するトッププレート上の加熱部の下面に２つの温度センサーが配置されたものがある。これは、加熱部に対し調理鍋がずれて適正な位置に載置されていない場合でも、何れか一方の温度センサーによって調理鍋の温度を検出できるようにしている（例えば、特許文献１参照）。
【先行技術文献】
【特許文献】
【０００３】
【特許文献１】特許第３９０８６３０号公報（第５頁、図１）
【発明の概要】
【発明が解決しようとする課題】
【０００４】
前述した従来の電磁調理器は、調理鍋の過熱防止や食材の焦げ付き防止を図るためになされたものであるが、加熱部に対し調理鍋がずれて適正な位置に載置されていない場合、加熱効率が低下したり、調理鍋の取っ手が必要以上に加熱され熱くなってしまう虞があった。
【０００５】
本発明は、前記のような課題を解決するためになされたもので、加熱部に対し調理鍋がずれていた場合に適正位置に誘導し、誘導加熱による加熱効率の低下を抑えることができる電磁調理器を提供することを目的とする。
【課題を解決するための手段】
【０００６】
本発明に係る電磁調理器は、上面に調理鍋の加熱位置を示す加熱部が表示されたトッププレートと、加熱部の下に設置され、加熱部上の調理鍋を誘導加熱する加熱コイルと、加熱部上の調理鍋に下方から光を照射し、反射光が受光されたときに受光量に基づく信号を出力する複数の光センサーと、複数の光センサーからの信号を全て検知したかどうかを判定し、何れかの信号を検知できなかったときは、加熱部上の調理鍋を適正位置に移動させるように報知する鍋位置判定部とを備えたものである。
【発明の効果】
【０００７】
本発明においては、加熱部上の調理鍋に光を照射して受光する複数の光センサーからの信号を全て検知したときに加熱部上の調理鍋が適正位置に載置されていると判定し、複数の光センサーからの信号のうち何れかの信号が検知できなかったときは、加熱部上の調理鍋を適正位置に移動させるように報知するようにしたので、加熱部に対して調理鍋を適正な位置に置くことが容易になり、効率の良い加熱を実現することができる。
【図面の簡単な説明】
【０００８】
【図１】本発明の実施の形態１に係る電磁調理器の外観を示す斜視図である。
【図２】実施の形態１に係る電磁調理器の制御を示すブロック図である。
【図３】トッププレートに表示された左加熱部を上方から見て示すサーミスタと赤外線センサーの配置図である。
【図４】トッププレートに表示された右加熱部を上方から見て示すサーミスタと赤外線センサーの配置図である。
【図５】右加熱部内に調理鍋を載せた状態を示す平面図である。
【図６】右加熱部に対して調理鍋がａ方向にずれて載置された状態を示す平面図である。
【図７】右加熱部に対して調理鍋がｂ方向にずれて載置された状態を示す平面図である。
【図８】実施の形態２の電磁調理器における右加熱部に対して取っ手付きの調理鍋がｂ方向にずれて載置された状態を示す平面図である。
【図９】実施の形態１、２の他の形態に係る電磁調理器のトッププレートに表示された左加熱部を上方から見て示すサーミスタと赤外線センサーの配置図及びその断面図である。
【図１０】本発明の実施の形態３の電磁調理器において調理鍋の載置位置に対する右加熱コイルの通電を示す平面図である。
【発明を実施するための形態】
【０００９】
実施の形態１．
図１は本発明の実施の形態１に係る電磁調理器の外観を示す斜視図、図２は実施の形態１に係る電磁調理器の制御を示すブロック図である。
【００１０】
図１，２において、調理器本体１の上部には、外周部に枠体３が設けられた耐熱強化ガラス製のトッププレート２が取り付けられている。このトッププレート２には、鍋やフライパンなどの調理鍋の加熱位置を示す円形の左加熱部４、右加熱部５及び中央加熱部６が表示されている。調理器本体１を正面から見て手前側の枠体３には上面操作部７が取り付けられ、トッププレート２の前端側のほぼ中央には液晶表示部１０が設けられている。また、トッププレート２の中央加熱部６側の中央には、火力のレベルに応じて配列された複数のＬＥＤを備えた中央火力表示部１１が設けられている。
【００１１】
上面操作部７には、後述するグリル及び各加熱部４、５、６に対して火力や調理モードなどを設定する各種のキースイッチ、火力のレベルに応じて配列された複数のＬＥＤを備えた左及び右火力表示部８、９が設けられている。調理器本体１の前面には、調理器本体１内に収容されたグリルに開閉自在に取り付けられたグリル扉１４が設けられている。また、グリル扉１４の左側には左加熱部４に対して火力を設定する左前面操作部１２が、グリル扉１４の右側には右加熱部４に対して火力を設定する右前面操作部１３が設けられている。
【００１２】
トッププレート２の下には、左加熱部４に対向する左加熱コイル４ａが設置され、右加熱部５に対向する右加熱コイル５ａが設置され、さらに、中央加熱部６に対向するラジエントヒータからなる中央ヒーター６ａが設置されている。前述のグリル内には、シーズヒーターからなる上ヒーター１４ａと下ヒーター１４ｂが配置されている。なお、中央ヒーター６ａとして、ラジエントヒータを用いることを述べたが、これに代えて、加熱コイルでも良い。
【００１３】
左加熱コイル４ａは、左インバーター回路３４からの高周波電流に基づいて左加熱部４上の調理鍋を誘導加熱し、右加熱コイル５ａは、右インバーター回路３５からの高周波電流に基づいて右加熱部５上の調理鍋を誘導加熱する。中央ヒーター６ａは、中央通電回路３６からの電流によって発熱し中央加熱部６上の調理鍋を加熱する。上ヒーター１４ａと下ヒーター１４ｂは、グリル通電回路３７からの電流によって発熱しグリル内の調理物（魚等）を加熱する。また、調理器本体１内には、本調理器が使用された際に、ファン駆動回路３８により駆動される冷却ファン２１ａが設置されている。
【００１４】
液晶表示部１０は、例えば、上面操作部７の操作に基づく操作情報（調理メニューや調理モード）を表示したり、加熱源の動作状態などを表示する。左火力表示部８は、左加熱部４に対して設定された火力に応じてＬＥＤを点灯し、右火力表示部９は、右加熱部５に対して設定された火力に応じてＬＥＤを点灯し、中央火力表示部１１は、中央加熱部６に対して設定された火力に応じてＬＥＤを点灯する。
【００１５】
トッププレート２の左加熱部４の下には、後述するが、例えば、温度センサーである２個の左サーミスタ２１ａ，２１ｂと、光センサーである８個の左赤外線センサー２４ａ〜２４ｈとが配置されている。また、トッププレート２の右加熱部５の下には、例えば、温度センサーである２個の右サーミスタ２２ａ，２２ｂと、光センサーである４個の右赤外線センサー２５ａ〜２５ｄとが配置されている。さらに、トッププレート２の中央加熱部６の下には、その下面に接触して調理鍋の温度を検出する中央サーミスタ２３が設置されている。
なお、左加熱部４の下には、８個の左赤外線センサー２４ａ〜２４ｈが配置され、右加熱部５の下には、４個の右赤外線センサー２５ａ〜２５ｄが配置されていることを述べたが、これに限定されるものではなく、例えば、右加熱部５の下に左加熱部４と同様に８個の赤外線センサーを配置するようにしても良いし、また、左加熱部４の下に右加熱部５と同様に４個の赤外線センサーを配置するようにしても良い。さらに、左加熱部４の下に４個の赤外線センサーを、右加熱部５の下に８個の赤外線センサーを配置するようにしても良い。
【００１６】
前述した左赤外線センサー２４ａ〜２４ｈと右赤外線センサー２５ａ〜２５ｄは、例えば、トッププレート２に表示された左加熱部４及び右加熱部５上の調理鍋の底面に赤外線を照射する赤外発光ダイオードと、調理鍋の底面を反射した赤外線を受光するフォトトランジスタとを備え、その受光量に基づいて信号（電流）を出力する。前述したトッププレート２には、赤外線を透過させる材質が施されている。
【００１７】
ここで、左加熱部４と右加熱部５の下方に配置された各サーミスタ２１ａ、２１ｂ・２２ａ，２２ｂ及び各赤外線センサー２４ａ〜２４ｈ・２５ａ〜２５ｄの配置例を図３、図４を用いて説明する。
図３はトッププレートに表示された左加熱部を上方から見て示すサーミスタと赤外線センサーの配置図、図４はトッププレートに表示された右加熱部を上方から見て示すサーミスタと赤外線センサーの配置図である。
【００１８】
前述の左サーミスタ２１ａ、２１ｂは、図３に示すように、円形の左加熱部４のエリア内において、左加熱部４の軸心を中心とする円周とその軸心に時計回りの方向に約４５度傾いて直交する線との交点上に設置されるように配置されている。また、８個の左赤外線センサー２４ａ〜２４ｈのうち４個の左赤外線センサー２４ａ〜２４ｄは、前述の円周と左加熱部４の軸心に直交する左加熱部４の中心線との交点上に設置されるように配置されており、さらに、他の４個の左赤外線センサー２４ｅ〜２４ｈは、左加熱部４の外周より外側に前述の中心線上に設置されるように配置されている。左サーミスタ２１ａ、２１ｂはトッププレート２の下面に接触しており、８個の左赤外線センサー２４ａ〜２４ｈは、トッププレート２と左加熱コイル４ａとの間に設けられている。
【００１９】
前述の右サーミスタ２２ａ，２２ｂは、図４に示すように、円形の右加熱部５のエリア内において、右加熱部５の軸心を中心とする円周とその軸心に反時計回りの方向に約４５度傾いて直交する線との交点上に設置されるように配置されている。４個の右赤外線センサー２５ａ〜２５ｄは、前述の円周と右加熱部５の軸心に直交する右加熱部５の中心線との交点上に設置されるように配置されている。右サーミスタ２２ａ、２２ｂは、前記と同様にトッププレート２の下面に接触しており、右サーミスタ２２ａ、２２ｂと共に上方から見た場合、「ハ」の字状に配置されている。４個の右赤外線センサー２５ａ〜２５ｄは、トッププレート２と右加熱コイル５ａとの間に設けられている。
【００２０】
左サーミスタ２１ａ、２１ｂ及び右サーミスタ２２ａ、２２ｂは、図２に示すように温度検出回路３１と接続されている。温度検出回路３１は、左サーミスタ２１ａ、２１ｂを介して左加熱部４上の調理鍋の温度を検出し、また、右サーミスタ２２ａ，２２ｂを介して右加熱部５上の調理鍋の温度を検出し、後述する制御回路３３に出力する。各サーミスタ２１ａ、２１ｂ、２２ａ，２２ｂは、調理温度が設定されたときや、調理鍋の加熱中の異常温度を監視するために用いられ、各加熱部４、５において検出温度の高い方を調理鍋の温度としている。
【００２１】
左赤外線センサー２４ａ〜２４ｈ及び右赤外線センサー２５ａ〜２５ｄは、図２に示すように赤外線検出回路３２と接続されている。赤外線検出回路３２は、各赤外線センサー２４ａ〜２４ｈ、２５ａ〜２５ｄからの信号（電流）を検知したときに赤外線検出の情報として制御回路３３に出力し、信号が検知されなかったときは赤外線未検出の情報として制御回路３３に出力する。
【００２２】
制御回路３３は、各操作部７、１２、１３の操作に応じて左インバーター回路３４、右インバーター回路３５、中央通電回路３６、グリル通電回路３７をそれぞれ制御する。本調理器が使用されたとき、ファン駆動回路３８をオンし、冷却ファン２１ａにより調理器本体１内を冷却させる。また、左加熱部４及び右加熱部５、あるいは何れか一方が選択されて火力が設定された際、加熱開始前に赤外線検出回路３２に赤外線検出の指示を出す。
【００２３】
この制御回路３３は、赤外線検出の指示を出した後、赤外線センサーからの信号を全て検知したかどうかを判定し、何れかの信号を検知できなかったときは、加熱部上の調理鍋を適正位置に移動させるように報知する鍋位置判定部を備えている。例えば、赤外線検出回路３２からの情報を読み込んで、全ての情報が赤外線検出かどうかを判定し、全ての情報が赤外線検出のときは調理鍋が適正位置に載置されていると判定する。読み込んだ情報の中に赤外線未検出を検知したときは、加熱部上の調理鍋を適正位置に移動させるように例えばブザーを鳴らして報知し、この報知により加熱部上の調理鍋が適正位置に置かれたときはブザーで報知する。なお、制御回路３３は、調理鍋が適正位置かどうかを判定する際、加熱動作中の周波数（例えば２０ＫＨｚ）より高い周波数（例えば４０ＫＨｚ）の電流を加熱コイルに流して、加熱部に調理鍋が載っているかどうかを判定する。例えば、赤外線検出回路３２からの情報が全て赤外線未検出であっても、コイル電流が閾値以上のとき加熱部に調理鍋が載っていると判定する。この状態は、例えば左加熱部４において、周方向に配置された赤外線センサー２４ａ〜２４ｄより内側に調理鍋が載置されたときである。
【００２４】
例えば、調理鍋が適正位置に置かれていない場合はブザーをピッ、ピッと鳴らし、この報知により適正位置に置かれたときはピーという連続音を発して利用者に報知する。前述のブザーは、例えば液晶表示部１０内に設けられている。また、制御回路３３は、調理鍋の加熱中においても前述の情報を読み込んで調理鍋が適正位置に載置されているかどうかを判定している。
【００２５】
次に、調理鍋の載置位置の判定動作について図３及び図５〜図７を参照しながら説明する。
図５は右加熱部内に調理鍋を載せた状態を示す平面図、図６は右加熱部に対して調理鍋がａ方向にずれて載置された状態を示す平面図、図７は右加熱部に対して調理鍋がｂ方向にずれて載置された状態を示す平面図である。
【００２６】
例えば図５に示すように、トッププレート２上の右加熱部５に調理鍋５０を載せて、右前面操作部１３により右加熱部５を選択し、次いで、上面操作部７によって右加熱部５で使用する火力を設定すると、制御回路３３は、設定された火力のレベルに応じて右火力表示部９のＬＥＤを点灯する。そして、赤外線検出回路３２に赤外線検出の指示を出して、右赤外線センサー２５ａ〜２５ｄから赤外線を照射させる。この時、それぞれの右赤外線センサー２５ａ〜２５ｄは、右加熱部５上の調理鍋５０の底面に下方から赤外線を照射し、反射光が受光されたときに受光量に基づく信号（電流）をそれぞれ赤外線検出回路３２に出力する。赤外線検出回路３２は、信号を検知したときに赤外線検出の情報として、信号を検知できなかったときは赤外線未検出の情報として制御回路３３に出力する。
【００２７】
一方、制御回路３３は、４０ＫＨｚの高周波電流を右加熱コイル５ａに流して右加熱部５に調理鍋が載置されているかどうか、赤外線検出回路３２からの情報を読み込んで全ての情報が赤外線検出かどうかを判定する。コイル電流が閾値以上で、全ての情報が赤外線検出と判定したときは、加熱部５上に載置された調理鍋５０が適正位置に置かれているものとして、右加熱部５上の調理鍋５０が設定火力で誘導加熱されるように右インバーター回路３５を制御する。また、コイル電流が閾値以上で、全ての情報が赤外線未検出と判定したときは、加熱部５上に調理鍋５０が適正位置に置かれているものとして、右加熱部５上の調理鍋５０が設定火力で誘導加熱されるように右インバーター回路３５を制御する。
【００２８】
また、例えば図６に示すように、調理鍋５０の加熱中に右加熱部５に対し調理鍋５０がａ方向にずれた状態で載置された場合、つまり、調理鍋５０を右加熱部５から持ち上げて上下に振って右加熱部５上にａ方向にずれた状態で載置した場合、右赤外線センサー２５ｂからの信号が断たれる。この時、赤外線検出回路３２は、右赤外線センサー２５ａ、２５ｃ、２５ｄの赤外線受光による赤外線検出の情報を制御回路３３に出力し、また、右赤外線センサー２５ｂの赤外線未受光による赤外線未検出の情報を制御回路３３に出力する。
【００２９】
なお、調理鍋５０を右加熱部５から持ち上げたとき、例えば調理鍋５０の内容物をかき混ぜる間の時間（所定時間）経過するまで右加熱コイル５ａへの通電を継続するようにしている。これは、調理鍋が右加熱コイル５ａから離れたときに右加熱コイル５ａに流れる電流が低下するが、これに即応して右加熱コイル５ａへの通電を停止させないようにするためである。
【００３０】
一方、制御回路３３は、赤外線検出回路３２からの全ての情報が赤外線検出かどうかを判定する。この場合、赤外線未検出の情報が存在するので、調理鍋５０を適正位置に移動させるようにブザーをピッ、ピッと鳴らし利用者に報知する。この報知により、赤外線検出回路３２からの全ての情報が赤外線検出になったときは、ブザーからピーという連続音を発し、右加熱部５上の調理鍋５０が適正位置に置かれたことを利用者に報知する。
【００３１】
さらに、例えば図７に示すように、調理鍋５０の加熱中に右加熱部５に対し調理鍋５０がｂ方向にずれた状態で載置された場合は、右赤外線センサー２５ｂ、２５ｃからの信号が断たれる。この時、赤外線検出回路３２は、右赤外線センサー２５ａ、２５ｄの赤外線受光による赤外線検出の情報を制御回路３３に出力し、また、右赤外線センサー２５ｂ、２５ｃの赤外線未受光による赤外線未検出の情報を制御回路３３に出力する。
【００３２】
一方、制御回路３３は、赤外線検出回路３２からの全ての情報が赤外線検出かどうかを判定する。この場合も前記と同様に赤外線未検出の情報が存在するので、調理鍋５０を適正位置に移動させるように前記と同様にブザーをピッ、ピッと鳴らし利用者に報知する。この報知により、赤外線検出回路３２からの全ての情報が赤外線検出になったときは、ブザーからピーという連続音を発し、右加熱部５上の調理鍋５０が適正位置に置かれたことを利用者に報知する。
【００３３】
また、図３において、制御回路３３は、加熱開始前に左赤外線センサー２４ａ〜２４ｂに加えて左加熱部４の外周より外側に配置された左赤外線センサー２４ｅ〜２４ｈの赤外線受光による赤外線検出の情報を赤外線検出回路３２から検知したとき、左加熱部４の径より大きい調理鍋と判定し、かつ調理鍋が適正位置に載置されているものとして調理鍋の誘導加熱に入る。
【００３４】
また、制御回路３３は、加熱開始前に左赤外線センサー２４ａ〜２４ｂの赤外線受光による赤外線検出の情報と左赤外線センサー２４ｅ〜２４ｈのうち少なくとも１個の左赤外線センサーの赤外線未受光による赤外線未検出の情報とを赤外線検出回路３２から検知した場合は、前記と同様に左加熱部４の径より大きい調理鍋と判定し、かつ調理鍋が適正位置に載置されていないと判定する。調理鍋の加熱中においては、先に判定した調理鍋のサイズが「大」であるため、８個の左赤外線センサー２４ａ〜２４ｈからの信号の有無を基に左加熱部４上の調理鍋が適正位置に載置されているかどうかを判定する。
【００３５】
さらに、制御回路３３は、加熱開始前に左赤外線センサー２４ａ〜２４ｂの赤外線受光による赤外線検出の情報を赤外線検出回路３２から検知し、左加熱部４の外周より外側に配置された左赤外線センサー２４ｅ〜２４ｈの赤外線未受光による赤外線未検出の情報を赤外線検出回路３２から検知したときは、左加熱部４の径より小さい調理鍋と判定し、かつ調理鍋が適正位置に載置されていると判定する。調理鍋の加熱中においては、先に判定した調理鍋のサイズが「小」であるため、４個の左赤外線センサー２４ａ〜２４ｄからの信号の有無を基に左加熱部４上の調理鍋が適正位置に載置されているかどうかを判定する。
【００３６】
以上のように実施の形態１によれば、左加熱部４の下及びその周囲に８個の左赤外線センサー２４ａ〜２４ｈを配置し、また、右加熱部５の下に４個の右赤外線センサー２５ａ〜２５ｄを配置したので、左加熱部４及び右加熱部５上の調理鍋が適正位置に載置されているかどうかの判定を正確に行うことが可能になる。また、調理鍋が適正位置に載置されていないと判定したときにブザーで報知して調理鍋を適正位置に載置させるようにしたので、効率の良い加熱を実現することができる。
【００３７】
なお、実施の形態１では、制御回路３３において、赤外線検出回路３２からの情報が全て赤外線検出と判定したとき、加熱部上の調理鍋が適正位置に置かれているものとして調理鍋の誘導加熱に入るようにしたが、赤外線検出回路３２からの情報が全て赤外線検出と判定した際、引き続いてその情報の中に所定レベルより低い信号（電流）が存在するかどうかを判定し、所定レベルより低い信号を検知したときは、加熱部上の調理鍋を適正位置に移動させるように報知するようにしても良い。これは、調理鍋の底面より上方に位置する調理鍋の取っ手を検知したときで、その取っ手を検知した赤外線センサーを赤外線未受光の赤外線センサーとして扱うようにしている。この場合も加熱部上の調理鍋を適正位置に移動させるようにブザーを鳴らして報知する。
【００３８】
これにより、加熱部に対する調理鍋の僅かなずれでも検知することが可能になり、このため、僅かにずれた調理鍋でも適正位置に置くことができ、調理鍋のずれによる加熱効率の低下を抑えることが可能になる。
【００３９】
実施の形態２．
実施の形態１では、調理鍋が適正位置に置かれていない場合、ブザー音でその旨を報知するようにしたが、実施の形態２は、音声にて調理鍋を適正位置に誘導するようにしたものである。なお、実施の形態２においては、実施の形態１で用いた図１〜図７を参照しながら説明する。
【００４０】
実施の形態２における温度検出回路３１には、例えば、左加熱部４側に配置された左サーミスタ２１ａ、２１ｂと右加熱部５側に配置された右サーミスタ２２ａ、２２ｂとに対して付与されたアドレスがデータとして設定されている。この温度検出回路３１は、調理鍋の加熱中に制御回路３３から左加熱部４側の検出温度の読み込み指示を受けたとき、左サーミスタ２１ａ、２１ｂにより検出された調理鍋の温度にその左サーミスタ２１ａ、２１ｂのアドレスを添付して制御回路３３に出力する。また、右加熱部５側の検出温度の読み込み指示を受けたときは、右サーミスタ２２ａ、２２ｂにより検出された調理鍋の温度にその右サーミスタ２２ａ、２２ｂのアドレスを添付して制御回路３３に出力する。
【００４１】
赤外線検出回路３２には、例えば、左加熱部４の下に配置された左赤外線センサー２４ａ〜２４ｄ及び左加熱部４の外周より外側に配置された左赤外線センサー２４ｅ〜２４ｈと、右加熱部５の下に配置された右赤外線センサー２５ａ〜２５ｄとに対して付与されたアドレスがデータとして設定されている。この赤外線検出回路３２は、８個の左赤外線センサー２４ａ〜２４ｈから赤外線を照射させているとき、左赤外線センサー２４ａ〜２４ｈの赤外線受光による赤外線検出の情報、赤外線未受光による赤外線未検出の情報にそれぞれアドレスを添付して制御回路３３に出力する。また、４個の右赤外線センサー２５ａ〜２５ｄから赤外線を照射させているとき、右赤外線センサー２５ａ〜２５ｈの赤外線受光による赤外線検出の情報、赤外線未受光による赤外線未検出の情報にそれぞれアドレスを添付して制御回路３３に出力する。
【００４２】
制御回路３３には、例えば、左加熱部４側に配置された８個の左赤外線センサー２４ａ〜２４ｈの各アドレスと関連付けられた左赤外線センサー２４ａ〜２４ｈの位置情報がデータとして設定されている。また、右加熱部５側に配置された４個の右赤外線センサー２５ａ〜２５ｈの各アドレスと関連付けられた右赤外線センサー２５ａ〜２５ｈの位置情報がデータとして設定されている。さらに、左サーミスタ２１ａ、２１ｂと右サーミスタ２２ａ、２２ｂの各アドレスと関連付けられた各サーミスタ２１ａ、２１ｂ、２２ａ、２２ｂの位置情報がデータとして設定されている。
【００４３】
この制御回路３３は、複数の赤外線センサーからの信号のうち何れかの信号を検知できなかったとき、信号を出力していない赤外線未受光の赤外線センサーの位置を予め設定された位置情報から判定し、かつその方向に加熱部上の調理鍋を移動させるように報知する鍋位置判定部を備えている。
【００４４】
例えば、加熱開始前に赤外線検出回路３２からの情報を検知すると、全ての情報が赤外線検出かどうかを判定し、全ての情報が赤外線検出のときは調理鍋が適正位置に載置されていると判定する。その情報の中から赤外線未検出の情報を検知したときは、その情報に添付されたアドレスを取り込んでそのアドレスに関連付けられた赤外線センサーの位置情報を読み込み、かつ読み込んだ位置情報から赤外線未受光の赤外線センサーの位置を判定する。そして、その方向に加熱部上の調理鍋を移動させるように音声にて利用者に報知する。この報知により、赤外線検出回路３２からの全ての情報が赤外線検出となったときは、調理鍋が適正位置に載置されたことを音声にて報知する。音声による報知は、液晶表示部１０内に設けられた音声発生装置（図示せず）を介して行っている。
【００４５】
また、制御回路３３は、赤外線未受光の赤外線センサーの位置を判定した際、２個のサーミスタの検出温度を読み込んで相互の検出温度に差があるかどうかを判定し、検出温度に差があるときは低い方のサーミスタの位置を予め設定された位置情報から判定し、かつ先に判定した赤外線センサーの位置とから加熱部上の調理鍋を移動させる方向を推定してその旨を報知する鍋位置判定部を備えている。
【００４６】
例えば、調理鍋の加熱中に、赤外線未受光の赤外線センサーの位置を判定した際、温度検出回路３１に温度の読み込み指示を出して、温度検出回路３１から２個のサーミスタの検出温度を読み込んで２つの検出温度に差があるかどうかを判定する。２つの検出温度に差があるときは、検出温度の低い方に添付されたアドレスを取り込んでそのアドレスに関連付けられたサーミスタの位置情報を読み込み、かつ読み込んだ位置情報からそのサーミスタの位置を判定する。
【００４７】
そして、先に判定した赤外線未受光の赤外線センサーの位置とサーミスタの位置とから加熱部上の調理鍋を移動させる方向を推定してその旨を音声にて利用者に報知する。また、双方の検出温度に差がないときは、先に判定した赤外線未受光の赤外線センサーの位置の方向に加熱部上の調理鍋を移動させるように音声にて利用者に報知する。２個のサーミスタのうち何れか一方の検出温度が低くなるのは、検出温度の低いサーミスタ上に調理鍋が置かれていなかったり、調理鍋の底に反りが入っている位置に置かれているからである。
【００４８】
次に、実施の形態２における調理鍋の載置位置の判定動作について図３及び図６、図７を参照しながら説明する。なお、図５における調理鍋の載置位置の判定動作は、実施の形態１と同様であるため、前述の図面を用いて説明する。
【００４９】
図６に示すように、調理鍋５０の加熱中に右加熱部５に対し調理鍋５０がａ方向にずれた状態で載置された場合は、右赤外線センサー２５ｂからの信号が断たれる。この時、赤外線検出回路３２は、右赤外線センサー２５ａ、２５ｃ、２５ｄの赤外線受光による赤外線検出の情報を制御回路３３に出力し、また、右赤外線センサー２５ｂの赤外線未受光による赤外線未検出の情報を制御回路３３に出力する。
【００５０】
一方、制御回路３３は、赤外線検出回路３２からの全ての情報が赤外線検出かどうかを判定する。この場合、赤外線未検出の情報が存在するので、その情報に添付されたアドレスを取り込んでそのアドレスに関連付けられた右赤外線センサー２５ｂの位置情報を読み込み、かつ読み込んだ位置情報から赤外線未受光の右赤外線センサー２５ｂの位置を判定する。
【００５１】
そして、制御回路３３は、温度検出回路３１に右加熱部５側の温度の読み込み指示を出して、温度検出回路３１から２個の右サーミスタ２２ａ、２２ｂの検出温度を読み込んで２つの検出温度に差があるかどうかを判定する。２つの検出温度に差があるときは、検出温度の低い方に添付されたアドレスを取り込んでそのアドレスに関連付けられた右サーミスタ２２ｂの位置情報を読み込み、かつ読み込んだ位置情報からその右サーミスタ２２ｂの位置を判定する。
【００５２】
その後、先に判定した赤外線未受光の右赤外線センサー２５ｂの位置と右サーミスタ２２ｂの位置とから右加熱部５上の調理鍋５０を移動させる方向を推定してその旨を音声にて利用者に報知する。この場合は、トッププレート２に表示された右加熱部５を上方から見て調理鍋５０を右側に移動させる指示を音声にて利用者に報知する。この報知により、赤外線検出回路３２からの全ての情報が赤外線検出になったときは、右加熱部５上の調理鍋５０が適正位置に載置されたことを音声にて報知する。
【００５３】
また、図７に示すように、調理鍋５０の加熱中に右加熱部５に対し調理鍋５０がｂ方向にずれた状態で載置された場合は、右赤外線センサー２５ｂ、２５ｃからの信号が断たれる。この時、赤外線検出回路３２は、右赤外線センサー２５ａ、２５ｄの赤外線受光による赤外線検出の情報を制御回路３３に出力し、また、右赤外線センサー２５ｂ、２５ｃの赤外線未受光による赤外線未検出の情報を制御回路３３に出力する。
【００５４】
一方、制御回路３３は、赤外線検出回路３２からの全ての情報が赤外線検出かどうかを判定する。この場合も前記と同様に赤外線未検出の情報が存在するので、その情報に添付されたアドレスを取り込んでそのアドレスに関連付けられた右赤外線センサー２５ｂ、２５ｃの位置情報を読み込み、かつ読み込んだ位置情報から赤外線未受光の右赤外線センサー２５ｂ、２５ｅの位置を判定する。
【００５５】
そして、制御回路３３は、温度検出回路３１に右加熱部５側の温度の読み込み指示を出して、温度検出回路３１から２個の右サーミスタ２２ａ、２２ｂの検出温度を読み込んで２つの検出温度に差があるかどうかを判定する。２つの検出温度に差があるときは、検出温度の低い方に添付されたアドレスを取り込んでそのアドレスに関連付けられた右サーミスタ２２ｂの位置情報を読み込み、かつ読み込んだ位置情報からその右サーミスタ２２ｂの位置を判定する。
【００５６】
その後、先に判定した赤外線未受光の右赤外線センサー２５ｂ、２５ｃの位置と右サーミスタ２２ｂの位置とから右加熱部５上の調理鍋５０を移動させる方向を推定してその旨を音声にて利用者に報知する。この場合は、トッププレート２に表示された右加熱部５を上方から見て調理鍋５０を右斜め下に移動させる指示を音声にて利用者に報知する。この報知により、赤外線検出回路３２からの全ての情報が赤外線検出になったときは、右加熱部５上の調理鍋５０が適正位置に載置されたことを音声にて報知する。
【００５７】
さらに、図３において、制御回路３３が加熱開始前に左加熱部４上の調理鍋のサイズが大きいと判定したときは、調理鍋の加熱中における調理鍋の載置位置の判定に左サーミスタ２１ａ、２１ｂを使用しない。これは、左加熱部４の外周より外側に配置された４個の左赤外線センサー２４ｅ〜２４ｈで調理鍋の載置位置を正確に判定できるからである。調理鍋が左加熱部４内に収まるようなサイズであった場合は、適正位置に載置されなかったときに左サーミスタ２１ａ、２１ｂの検出温度からも調理鍋の位置を判定して調理鍋のずらす方向を推定する。
【００５８】
以上のように実施の形態２によれば、左加熱部４及び右加熱部５において、調理鍋の加熱中に調理鍋が適正位置に載置されていなかったとき、左サーミスタ２１ａ、２１ｂの検出温度、右サーミスタ２２ａ、２２ｂの検出温度からも調理鍋の位置を判定して調理鍋の移動させる方向を推定するようにしているので、左加熱部４及び右加熱部５上の調理鍋が適正位置に載置されているかどうかの判定をより正確に行うことが可能になる。また、調理鍋が適正位置に載置されていないと判定したときには音声にて調理鍋の移動方向を報知するようにしているので、弱視の人や、目の不自由な人でもよりわかりやすく調理鍋を適正位置に置くことが可能になり、効率の良い加熱を実現することができる。
【００５９】
なお、実施の形態２では、制御回路３３において、赤外線検出回路３２からの情報が全て赤外線検出と判定したとき、加熱部上の調理鍋が適正位置に置かれているものとして調理鍋の誘導加熱に入るようにしたが、赤外線検出回路３２からの情報が全て赤外線検出と判定した際、引き続いてその情報の中に所定レベルより低い信号（電流）が存在するかどうかを判定し、所定レベルより低い信号を検知したときは、その信号を出力した赤外線受光の赤外線センサーを赤外線未受光の赤外線センサーとしてその位置を予め設定された位置情報から判定し、かつその方向に加熱部上の調理鍋を移動させるように音声で報知するようにしても良い。つまり、調理鍋に取り付けられた取っ手を検知した赤外線センサーを赤外線未受光の赤外線センサーとして扱うようにしている。
【００６０】
これにより、加熱部に対する調理鍋の僅かなずれでも検知することが可能になり、このため、僅かにずれた調理鍋でも適正位置に置くことができ、調理鍋のずれによる加熱効率の低下を抑えることが可能になる。
【００６１】
また、制御回路３３において、例えば図８に示すように、赤外線未受光の右赤外線センサー２５ｂの位置を判定した際、赤外線受光の右赤外線センサー２５ａ、２５ｃ、２５ｄからの信号の中に所定レベルより低い信号が存在するかどうかを判定する。所定レベルより低い信号を検知したときは、調理鍋５０の取っ手５０ａに反射した赤外線を受光したものとして、その信号を出力した赤外線受光の右赤外線センサー２５ｃを赤外線未受光の右赤外線センサー２５ｃとしてその位置を予め設定された位置情報から判定し、かつ先に判定した右赤外線センサー２５ｂの位置とから右加熱部５上の調理鍋５０を移動させる方向を推定してその旨を音声で報知するようにしても良い。
【００６２】
これにより、右加熱部５上の調理鍋５０のみならず取っ手５０ａも検知するようにしたので、調理鍋５０のずれをより正確に検知することが可能になる。このため、右加熱部５上の調理鍋５０の移動方向を正確に報知することが可能になり、効率の良い加熱を実現することができる。
【００６３】
前述の実施の形態１、２では、赤外線センサーをトッププレートと加熱コイルの間に設置したことを述べたが、これに限定されるものではなく、例えば赤外線センサーを加熱コイルの下に設置するようにしても良い。
例えば図９に示すように、左加熱部４の下に設置されたコイル保持部４２の上に、同一軸心を中心として設置されたリング状の内加熱コイル４１ａ、中間加熱コイル４１ｂ及び外加熱コイル４１ｃよりなる左加熱コイル４ａが設置されている。前述のコイル保持部４２には、前述の軸心上と、その軸心を直交する中心線上の内加熱コイル４１ａと中間加熱コイル４１ｂの間の隙間及び中間加熱コイル４１ｂと外加熱コイル４１ｃの間の隙間とにそれぞれ貫通穴４３が設けられている。
【００６４】
また、コイル保持部４２の下には、各貫通穴４３に対向して配置された９個の左赤外線センサー２４ａ、２４ｂ、２４ｃ、２４ｄ、２４ｉ、２４ｊ、２４ｋ、２４ｍ、２４ｎが設置されている。さらに、左加熱部４の外周より外側に前述の中心線上に４個の左赤外線センサー２４ｅ〜２４ｈが配置されている。
【００６５】
９個の左赤外線センサー２４ａ、２４ｂ、２４ｃ、２４ｄ、２４ｉ、２４ｊ、２４ｋ、２４ｍ、２４ｎから照射された赤外線は、それぞれ貫通穴４３を通ってトッププレート２を透過し、左加熱部４に載置された調理鍋の底面を反射し、再びトッププレート２と貫通穴４３を通って前述の左赤外線センサー２４ａ、２４ｂ、２４ｃ、２４ｄ、２４ｉ、２４ｊ、２４ｋ、２４ｍ、２４ｎにより受光される。一方、左加熱部４の外周より外側に配置された４個の左赤外線センサー２４ｅ〜２４ｈから照射された赤外線は、トッププレート２を透過する。この時、左加熱部４より大きい調理鍋が載置されていた場合、その調理鍋の底面を反射し、再びトッププレート２を通って前述の左赤外線センサー２４ｅ〜２４ｈにより受光される。
このように十字状に配置された１３個の左赤外線センサーのうち、左赤外線センサー２４ｉ、２４ｊ、２４ｋ、２４ｍが赤外線受光のとき径の小さい調理鍋と判定する。また、加熱開始前に９個の左赤外線センサー２４ａ、２４ｂ、２４ｃ、２４ｄ、２４ｉ、２４ｊ、２４ｋ、２４ｍ、２４ｎが赤外線受光のとき加熱部４の径とほぼ同じ調理鍋と判定する。さらに、１３個の左赤外線センサー２４ａ〜２４ｈ、２４ｉ、２４ｊ、２４ｋ、２４ｍ、２４ｎが赤外線受光のとき径の大きい調理鍋と判定する。
【００６６】
以上のように、複数の赤外線センサーをコイル保持部４２の下に配置し、左加熱コイル４ａの中心及びコイル間の隙間から赤外線を照射できるように構成したので、実施の形態１、２、３と比べ、より多くの赤外線センサーを配置することが可能になり、調理鍋が適正な位置に載置されているかどうかの判定をより正確に行うことができる。
【００６７】
なお、ここでは、左加熱部４側の赤外線センサーの配置について説明したが、右加熱部５側でも同様に赤外線センサーを十字状になるように配置しても良い。右加熱部５の下に設置された右加熱コイル５ａは、リング状の内加熱コイルとそのコイルの外周に隙間を有して配置された外加熱コイルとからなる。赤外線センサーは、内加熱コイルの軸心上と、その軸心を直交する中心線上の内加熱コイルと外加熱コイルの間の隙間及び外加熱コイルの外周とにそれぞれ配置される。つまり、９個の赤外線センサーが配置される。
【００６８】
実施の形態３．
実施の形態３は、例えば、右加熱部上の調理鍋が適正位置に載置されていなかったとき調理鍋の移動方向を報知すると共に、その状態の調理鍋を右加熱コイルで効率よく誘導加熱するようにしたものである。
図１０は本発明の実施の形態３の電磁調理器において調理鍋の載置位置に対する右加熱コイルの通電を示す平面図である。なお、同図（ａ）は右加熱コイルに対し調理鍋が真上に載置された状態を示し、同図（ｂ）は右加熱コイルに対し調理鍋が右側（ｃ方向）に片寄って載置された状態を示し、同図（ｃ）は右加熱コイルに対し調理鍋が右斜め上（ｄ方向）に片寄って載置された状態を示す。
【００６９】
図１０において、右加熱コイル５ａは、中央加熱コイル５１ａと、中央加熱コイル５１ａの外周に周方向に配置された４個の補助加熱コイル５１ｂ〜５１ｅとから構成されている。前述の中央加熱コイル５１ａは、リング状の内加熱コイルとその内加熱コイルの外周に配置された外加熱コイルとからなっている。４個の右赤外線センサー２５ａ〜２５ｄは、それぞれ補助加熱コイル５１ｂ〜５１ｅの下に設置されている。その内、右赤外線センサー２５ａは、補助加熱コイル５１ｂの内側の隙間中央に配置され、右赤外線センサー２５ｂは、補助加熱コイル５１ｃの内側の隙間中央に配置されている。また、右赤外線センサー２５ｃは、補助加熱コイル５１ｄの内側の隙間中央に配置され、右赤外線センサー２５ｄは、補助加熱コイル５１ｅの内側の隙間中央に配置されている。右サーミスタ２２ａ，２２ｂは、実施の形態１で述べたように、左加熱部４側の左サーミスタ２１ａ、２１ｂとで「ハ」の字状になるように中央加熱コイル５１ａの内加熱コイルと外加熱コイルの間に右加熱部５の下面に接触して配置されている。
【００７０】
制御回路３３による加熱開始前の調理鍋５０の載置位置の判定動作は、前述した実施の形態２と同様である。例えば図１０（ａ）に示すように、調理鍋５０が中央加熱コイル５１ａと４個の補助加熱コイル５１ｂ〜５１ｅを覆うようにトッププレート２上に載置された場合、制御回路３３は、４個の右赤外線センサー２５ａ〜２５ｄの赤外線受光に基づく赤外線検出の情報を赤外線検出回路３２を介して検知する。この場合、赤外線検出回路３２からの全ての情報が赤外線検出であるため、加熱部５上の調理鍋５０が適正位置に置かれているものとして調理鍋５０の誘導加熱に入る。調理鍋５０の加熱中は、２個の右サーミスタ２２ａ、２２ｂの検出温度も利用して調理鍋５０の載置位置の判定を行う。この判定は実施の形態２と同様である。
【００７１】
調理鍋５０の加熱中において、調理鍋５０が上下及び前後に振られた後に、同図（ｂ）に示すように載置された場合、赤外線検出回路３２は、右赤外線センサー２５ａ、２５ｂの赤外線受光による赤外線検出の情報を制御回路３３に出力し、また、右赤外線センサー２５ｃ、２５ｄの赤外線未受光による赤外線未検出の情報を制御回路３３に出力する。一方、制御回路３３は、赤外線検出回路３２からの全ての情報が赤外線検出かどうかを判定する。この場合、赤外線未検出の情報が存在するので、その情報に添付されたアドレスを取り込んでそのアドレスに関連付けられた右赤外線センサー２５ｃ、２５ｄの位置情報を読み込み、かつ読み込んだ位置情報から赤外線未受光の右赤外線センサー２５ｃ、２５ｄの位置を判定する。
【００７２】
そして、制御回路３３は、温度検出回路３１に右加熱部５側の温度の読み込み指示を出して、温度検出回路３１から２個の右サーミスタ２２ａ、２２ｂの検出温度を読み込んで２つの検出温度に差があるかどうかを判定する。２つの検出温度に差がないときは、先に判定した赤外線未受光の右赤外線センサー２５ｃ、２５ｄの位置から右加熱部５上の調理鍋５０を移動させる方向を推定してその旨を音声にて利用者に報知する。この時、赤外線未受光の右赤外線センサー２５ｃ、２５ｄ近傍の補助加熱コイル５１ｄ、５１ｅへの通電を停止させる。
【００７３】
さらに、調理鍋５０の加熱中において、調理鍋５０が上下及び前後に振られた後に、同図（ｃ）に示すように載置された場合、赤外線検出回路３２は、右赤外線センサー２５ａの赤外線受光による赤外線検出の情報を制御回路３３に出力し、また、右赤外線センサー２５ｂ〜２５ｄの赤外線未受光による赤外線未検出の情報を制御回路３３に出力する。
【００７４】
一方、制御回路３３は、赤外線検出回路３２からの全ての情報が赤外線検出かどうかを判定する。この場合、赤外線未検出の情報が存在するので、その情報に添付されたアドレスを取り込んでそのアドレスに関連付けられた右赤外線センサー２５ｂ〜２５ｄの位置情報を読み込み、かつ読み込んだ位置情報から赤外線未受光の右赤外線センサー２５ｂ〜２５ｄの位置を判定する。
【００７５】
そして、制御回路３３は、温度検出回路３１に右加熱部５側の温度の読み込み指示を出して、温度検出回路３１から２個の右サーミスタ２２ａ、２２ｂの検出温度を読み込んで２つの検出温度に差があるかどうかを判定する。２つの検出温度に差がないときは、先に判定した赤外線未受光の右赤外線センサー２５ｂ〜２５ｄの位置から右加熱部５上の調理鍋５０を移動させる方向を推定してその旨を音声にて利用者に報知する。この時、赤外線未受光の右赤外線センサー２５ｂ〜２５ｄ近傍の補助加熱コイル５１ｃ〜５１ｅへの通電を停止させる。
【００７６】
制御回路３３は、前述した報知により、赤外線未受光の右赤外線センサー２５ｂ〜２５ｄが赤外線受光となったときに、つまり、右加熱部５上の調理鍋５０が適正位置に置かれたときに調理鍋５０が適正位置に置かれた旨を音声にて報知する。
【００７７】
以上のように実施の形態３によれば、右赤外線センサー２５ａ〜２５ｄのうち何れかの右赤外線センサーが赤外線未受光の場合、その方向へ調理鍋５０を移動させるように音声にて報知すると共に、赤外線未受光の右赤外線センサー近傍の補助加熱コイルへの通電を停止するようにしたので、効率の良い加熱を実現することができる。
【００７８】
なお、実施の形態１、２、３では、加熱部上の調理鍋が適正位置に置かれていない場合、調理鍋を適正位置に移動させるようにブザーあるいは音声で報知しているが、その報知を調理鍋が適正位置まで移動するまでに多く繰り返したり少なくしても良い。調理鍋を加熱部に置いたときや調理鍋を上下に振って置いた場合、左右方向より前後方向のずれが発生しやすい。そこで、加熱部上の調理鍋が前後の何れかにずれて載置されていると判定したとき、複数の赤外線センサーからの信号を全て検知するまで前述の報知を繰り返し行う。また、加熱部上の調理鍋が左右の何れかにずれて載置されていると判定したときは、前後のずれのときよりも報知の回数を少なくしたり、報知しないようにする。こうすることで、実際の調理において煩わしさを感じずに、効率の良い加熱を実現することができる。
【００７９】
また、実施の形態１、２、３では、加熱部上の調理鍋が適正位置に置かれていないとき、調理鍋が適正位置に載置されたとき、その旨をブザーあるいは音声で報知するようにしたが、ブザーあるいは音声で報知している際に、液晶表示部１０からもその旨を表示するようにしても良いし、ＬＥＤを点灯或いは点滅して報知するようにしても良い。また、単独に液晶表示部１０に、調理鍋が適正位置に置かれていない旨や適正位置に置かれた旨をメッセージで表示するようにしても良い。
【００８０】
さらに、各加熱部４、５に対する調理鍋の適正な載置の仕方が慣れてきた場合、使用者によって鍋位置ガイドの機能をＯＦＦできるようにしても良い。これにより、調理鍋を適正位置に載せることに慣れた使用者にとっては煩わしさがなくなる。
【符号の説明】
【００８１】
１  調理器本体、２  トッププレート、３  枠体、４  左加熱部、４ａ  左加熱コイル、５  右加熱部、５ａ  右加熱コイル、６  中央加熱部、７  上面操作部、８  左火力表示部、９  右火力表示部、１０  液晶表示部、１１  中央火力表示部、１２  左前面操作部、１３  右前面操作部、１４  グリル扉、２１ａ，２１ｂ  左サーミスタ、２２ａ，２２ｂ  右サーミスタ、２４ａ〜２４ｈ  左赤外線センサー、２５ａ〜２５ｄ  右赤外線センサー、２４ｉ〜２４ｋ，２４ｍ，２４ｎ  左赤外線センサー、４１ａ  内加熱コイル、４１ｂ  中間加熱コイル、４１ｃ  外加熱コイル、４２  コイル保持部、４３  貫通穴、５０  調理鍋、５０ａ  取っ手、５１ａ  中央加熱コイル、５１ｂ〜５１ｅ  補助加熱コイル。
【図１】
2010262865.tif 000003
【図２】
2010262865.tif 000004
【図３】
2010262865.tif 000005
【図４】
2010262865.tif 000006
【図５】
2010262865.tif 000007
【図６】
2010262865.tif 000008
【図７】
2010262865.tif 000009
【図８】
2010262865.tif 000010
【図９】
2010262865.tif 000011
【図１０】
2010262865.tif 000012